(57)【要約】      （修正有）【課題】簡便な構成で容易にセッティング可能な背もたれを提供する。【解決手段】背もたれ１０は、一定間隔をおいて設置される一対の支持脚間に設置され、帯状に形成された基材１１を備えている。基材１１には、一対の支持脚の夫々が挿入可能となる筒状の保持部１２ａ〜１２ｊが長手方向に沿って連続して設けられている。【選択図】図２
0003215297.tif 000002
【実用新案登録請求の範囲】
【請求項１】
一定間隔をおいて設置される一対のポール間に設置され、帯状に形成された基材を備えた背もたれであって、
前記基材には、前記一対のポールの夫々が挿入可能となる筒状の保持部が長手方向に沿って連続して設けられていることを特徴とする背もたれ。
【請求項２】
前記基材及び保持部の少なくとも一方は、クッション性を有することを特徴とする請求項１に記載の背もたれ。
【請求項３】
前記基材には、一対のポールの幅に応じて選択された筒状の保持部から外側にある保持部を、前記一対のポール間にある保持部と重なるように折り返して固定するための固定部材が設けられていることを特徴とする請求項１又は２に記載の背もたれ。
【請求項４】
前記固定部材は、前記基材の一端縁に設けられるベルトと、前記基材の他端側の表面に設けられ、前記ベルトを挿通させるベルト通し部と、を有することを特徴とする請求項３に記載の背もたれ。
【請求項５】
請求項１から４のいずれか１項に記載の背もたれが設置可能な釣台であって、
着座部と、着座部の四隅にセッティングされる支持脚とを備え、
前記四隅にセッティングされる支持脚の内、一対は前記着座部から上方に突出してセッティング可能であり、前記一対の支持脚の間に前記背もたれが設置可能であることを特徴とする釣台。
【考案の詳細な説明】
【技術分野】
【０００１】
本考案は、椅子や台など、着座した際に背中（腰から上方）をサポートする背もたれに関し、例えば、へら鮒釣りをする際に釣人が着座する釣台に適用可能な背もたれに関する。
【背景技術】
【０００２】
従来から、へら鮒釣り等においては、水辺に設置されて長時間にわたって着座姿勢で釣りを行なうことができるようにする釣台が知られている（例えば、特許文献１参照）。一般的な釣台は、釣人が着座する板状の着座部と、着座部の四隅に取り付けられる支持脚とを備えており、支持脚については、着座部の高さを調整可能に構成されている。また、そのような釣台は、折り畳んで容易に携行できるように構成されている。
【先行技術文献】
【特許文献】
【０００３】
【特許文献１】実公平３−２１５２号
【考案の概要】
【考案が解決しようとする課題】
【０００４】
上記したような釣台において、背中をもたれかかりたい場合、背もたれを備えた小さい座椅子を着座部上に設置する必要があり、釣台とは別に座椅子を携行するのは不便である。また、背もたれ付きの釣台も市販化されているが、釣台と一体化された構造であるため、セッティングや携行に不便であると共に、釣台毎にセット組みされていることからコストも高くなってしまう。
【０００５】
本考案は、上記した問題に着目してなされたものであり、簡便な構成で容易にセッティング可能な背もたれ、及び、そのような背もたれが設置可能な釣台を提供することを目的とする。
【課題を解決するための手段】
【０００６】
上記した目的を達成するために、本考案に係る背もたれは、一定間隔をおいて設置される一対のポール間に設置され、帯状に形成された基材を備えており、前記基材には、前記一対のポールの夫々が挿入可能となる筒状の保持部が長手方向に沿って連続して設けられていることを特徴とする。
【０００７】
上記した構成の背もたれは、帯状に形成された基材に、長手方向に沿って連続して筒状の保持部が設けられているため、一対のポールの夫々を、対応する保持部に挿通させることで、ポール間に帯状の基材が設置され、この部分に背中を当て付けることが可能となる。すなわち、着座する位置の後方側に一定距離離間した一対のポールが存在していれば、その間に背もたれを設置することが可能であり、かつ、基材に連続して筒状の保持部が設けられているため、ポールの間隔が様々であっても、１つの背もたれで対応することが可能となる。
【０００８】
また、本考案は、上記した背もたれが設置可能な釣台を特徴としており、この釣台は、着座部と、着座部の四隅にセッティングされる支持脚とを備えており、前記四隅にセッティングされる支持脚の内、一対は前記着座部から上方に突出してセッティング可能であり、前記一対の支持脚の間に前記背もたれが設置可能であることを特徴とする。
【０００９】
釣台には、様々なサイズがあり、また、支持脚の間隔を変更してセッティングできるものも存在するが、上記した構成の背もたれを用いることにより、大きさが異なる（支持脚の間隔が異なる）様々な釣台に対応することが可能となる。
【考案の効果】
【００１０】
本考案によれば、簡便な構成で容易にセッティング可能な背もたれ、及び、そのような背もたれが設置可能な釣台が得られる。
【図面の簡単な説明】
【００１１】
【図１】本考案に係る釣台の一実施形態を示す図であり、釣台に背もたれを設置した状態を示す斜視図。
【図２】本考案に係る背もたれの一実施形態を示す図であり、（ａ）は側面図、（ｂ）は裏面図、（ｃ）は平面図。
【図３】図２に示す背もたれを示しており、（ａ）は裏側から見た斜視図、（ｂ）は、表側から見た斜視図。
【図４】背もたれの使用状態を示す斜視図。
【図５】背もたれの別の使用状態を示す斜視図。
【考案を実施するための形態】
【００１２】
以下、本考案に係る背もたれ、及び、釣台の構成について、添付図面を参照して具体的に説明する。
図１は、本考案に係る釣台の一実施形態を示す斜視図である。
本実施形態に係る釣台１は、釣人が着座する平板状の着座部２と、着座部２の四隅に設けられる支持脚（ポール）４ａ，４ｂとを備えている。着座部２は、矩形状に形成されており、各支持脚４ａ，４ｂは、高さ調整が可能となっている。なお、前方側に設置される一対の支持脚４ａには、着座部２に着座した状態で、足を載置できるように、高さ位置を変えられるステップ５が設けられていても良い。
【００１３】
前記着座部２は、中央部分（折り返し部２ａ）で折り畳みできるように構成されていても良い。また、前記４本の支持脚の内、後方側に設けられる一対の支持脚４ｂについては、着座部２の表面から上方に突出し、着座した釣人の背中を後述する背もたれによって支えることができる程度の長さを備えている。各支持脚４ａ，４ｂは、着座部２の四隅に設けられた開口に嵌入して固定される構成であっても良いし、着座部２と一体化され、伸縮できる構成であっても良い。本実施形態では、着座部２と支持脚４ａ，４ｂは別体となっており、使用時に両者を組み付けてセッティングされる。このため、４本の支持脚の内、後方側にセットされる２本は長い構成であっても良いし、いずれの支持脚も伸縮できるように構成されていても良い。また、着座部２については、その幅が変更できるような調整機構を備えていても良い。
【００１４】
本考案では、図１に示す釣台１の後方側の２本の支持脚４ｂ間に、図２及び図３に示すような背もたれ１０が装着できるように構成されている。
以下、本考案に係る背もたれ１０の一実施形態について説明する。
【００１５】
背もたれ１０は、図１に示したように、一定間隔をおいて設置される前記一対の支持脚４ｂ間に設置可能な帯状に形成された基材１１を備えている。基材１１は、折り畳むことが可能な素材で形成されており、例えば、天然繊維や化学繊維を編成した布状のもので構成され、編成される繊維は、好ましくは、強度的に優れたポリエステル、ナイロン、アクリル、ポリウレタン等の化学繊維が用いられる。
【００１６】
前記基材１１には、前記支持脚４ｂが挿入可能となる筒状の保持部（ポケット）１２ａ，１２ｂ…１２ｊが長手方向（横方向Ｄ１）に沿って連続して設けられている。本実施形態の保持部１２ａ〜１２ｊは、前記基材１１と一体的に設けられており、各保持部は、長手方向Ｄ１に対して直交する方向Ｄ２に沿って連続して設けられている。この場合、保持部の数は限定されることはないが、基材１１の長さに応じて連続して設けられ、本実施形態では、１０個の保持部１２ａ〜１２ｊが隣接して設けられている。また、基材１１の高さについては、少なくとも着座した釣人の腰部領域がサポートできる高さがあればよく、更に、背中全体の領域をサポートできる高さがあっても良い。
【００１７】
このような保持部１２ａ〜１２ｊは、２枚のシート状の基材を重ね、保持部となる部分を多少膨らんだ状態にして、それぞれの膨らんだ状態の保持部の間の領域１３をＤ２方向で縫着する（縫着部１３とする）ことで形成することが可能である。そして、両端１３ａを縫着することで、長手方向に連続した保持部１２ａ〜１２ｊを有する背もたれを形成することが可能となる。なお、各保持部については、Ｄ２方向の両側が開口していても良いし、いずれか一方側を閉塞しても良い。また、各保持部１２ａ〜１２ｊの間は、Ｄ２方向に沿って縫着部１３が形成されているため、基材１１は、保持部間のいずれの縫着部１３において折り曲げる（折り曲げて重ねる）ことが可能となっている。
【００１８】
前記基材１１は、単一素材で構成しても良いが、複合素材で構成することが好ましい。例えば、スポンジやウレタン等の発泡性のある板材（クッション性のある素材で構成するのが好ましい）を芯材とし、これに布材を被着した複合素材で構成しても良い。このように、基材１１にクッション性をもたせることにより、釣人が背をもたれかけた際の感触を向上することが可能となる。なお、支持脚が挿通できる貫通孔を備えた保持部１２ａ〜１２ｊを別部材で形成し、これを基材に対して取着するような構成とした場合、少なくともいずれか一方を、クッション性のある複合素材で構成すれば良い。
【００１９】
上記のように、基材１１は、長手方向Ｄ１に沿って、支持脚が挿入できる保持部が連続して設けられ、各保持部間を折り曲げて重ねることができれば、その構成素材や縫着方法、芯材の構成など、限定されることはない。例えば、平坦状の布状素材に対して、長手方向Ｄ２が多少長い同様な布状素材を、保持部が形成されるように連続して撓ませながら縫着することで形成することも可能である。
【００２０】
前記基材１１（保持部１２ａ〜１２ｊ）については、撥水性のある素材をコーティングしても良いし、撥水性のある繊維で編成されたものであっても良い。
【００２１】
上記したように構成される背もたれ１０は、一対の支持脚間に装着する際、支持脚の間隔によって、保持部１２ａ〜１２ｊの内、いずれかの２つの保持部が使用される。例えば、図１では、最も間隔が広い支持脚を想定しており、両端の保持部１２ａ，１２ｊを利用した状態を示すが、支持脚の間隔が狭い支持脚であれば、例えば、図４に示すように、保持部１２ａ，１２ｆを使用することが想定される。この場合、使用される保持部１２ｆの外側にある保持部１２ｇ〜１２ｊについては、保持部１２ａ，１２ｆを支持脚に挿入した場合、拡がったままになるため、支持脚間に位置する保持部１２ａ〜１２ｆと重なるように折り返して固定できるように固定部材を設けてこくことが好ましい。すなわち、保持部が拡がったままになると、実釣時に仕掛け（釣糸や針等）が引っ掛かったり、汚れが付着する等の問題が発生するため、折り返して固定できる（重なった状態で固定する）ように構成するのが好ましい。
【００２２】
本実施形態における固定部材は、基材１１の一端縁１１ａに設けられるベルト１５と、基材１１の他端側の表面に設けられ、ベルト１５を挿通させるベルト通し部１７とを有している。この場合、ベルト１５は、安定して固定できるように、一端縁１１ａの上下で側方に突出するように２箇所設けられており、固定作業が容易に行えるように、各ベルト１５の表面には、雌型の面ファスナ１５ａと雄型の面ファスナ１５ｂが隣接して取着されている。この面ファスナについては、ベルト１５の一方の表面に設けても良いし、図に示すように、両面に設けても良い。
【００２３】
このため、図４に示すように、離間した支持脚に対し、基材１１の保持部１２ａ，１２ｆに支持脚を挿入した後、保持部１２ｇ〜１２ｊ部分の基材を折り返し、折り返した端部のベルト１５をベルト通し部１７の上側から下側に巻き付けるようにして、各ベルトの面ファスナ１５ａ，１５ｂを止着することで、余った部分の保持部を重ねることができる。なお、本実施形態では、ベルト１５の両面に面ファスナ１５ａ，１５ｂを止着しているため、ベルト通し部１７に対して下側から上側に巻き付けることでも余った部分の保持部を重ねることが可能である。
【００２４】
或いは、図５に示すように、基材１１の保持部１２ｃ，１２ｆに支持脚を挿入した場合、余った保持部１２ａ，１２ｂ及び１２ｇ〜１２ｊ部分の基材を折り返し、折り返した端部のベルト１５をベルト通し部１７の下側から上側に巻き付けるようにして、各ベルトの面ファスナ１５ａ，１５ｂを止着することで、余った部分の保持部１２ａ，１２ｈ〜１２ｊを重ねることもできる。
【００２５】
このように、固定部材をベルト１５とベルト通し部１７で構成し、固定を面ファスナで行なうようにしたことで、固定作業、及び重ね合わせ作業が容易に行えるようになる。なお、ベルト１５については、その長さを長くすることで、重ねられる保持部が少なくても対応することが可能である。或いは、基材の表面に、ベルトに設けられた面ファスナが止着できる面ファスナを設けておけばベルト通し部を設けなくても良い。
【００２６】
上記したような背もたれ１０は、釣台の支持脚４ｂの間隔に関係なく装着できるため、背もたれが欲しい場合、別途、座椅子を設置したり座椅子を購入する必要が無く、簡便な構成で容易にセッティングして背もたれを構築することができる。また、１つの背もたれで、幅の異なる複数の機種や幅が調整可能な支持脚にも対応できるため、コストを低減することが可能となる。更に、釣台を分解して搬送する場合等、背もたれ１０を利用して複数本の支持脚を保管できるので、搬送時に異音が発生したり傷が付くことが防止される。
【００２７】
以上、本考案の実施形態について説明したが、本考案は上記した実施形態に限定されることはなく、種々変形することが可能である。
背もたれの利用形態として、釣台を例示して説明したが、上記した構成の背もたれは、組み立て式の椅子等にも適用することが可能である。また、背もたれの形成材料や、保持部の形成方法についても特に限定されることはなく、例えば、合成樹脂で形成しても良いし、空気を入れるようにして、よりクッション性を高めるように構成する等、適宜、変形することが可能である。
【符号の説明】
【００２８】
１  釣台
２  着座部
４ａ，４ｂ  支持脚（ポール）
１０  背もたれ
１１  基材
１２ａ〜１２ｊ  保持部
１５  ベルト
１７  ベルト通し部
【図１】
0003215297.tif 000003
【図２】
0003215297.tif 000004
【図３】
0003215297.tif 000005
【図４】
0003215297.tif 000006
【図５】
0003215297.tif 000007